(57)【要約】【課題】吸放湿性を向上することのできる建築用パネルを提供する。【解決手段】建築用パネルは、通気可能な中空部を形成するパネル体１０と、吸放湿性を有しかつパネル体１０の中空部内に収容された吸放湿性材料３０とを備える。吸放湿性材料３０は、通気性を有する収容袋体３２内に装入した状態でパネル体１０の中空部内に収容される。パネル体１０の中空部を通気可能とする面を金属板２０で形成し、該金属板にはその表面側より裏面側に向けて孔抜き加工を施すことにより通気孔２２を形成するとともに裏面側へまくれる余肉部分により収容袋体３２を押え付ける押付凸部２３を形成する。【選択図】　　　図３
2004060193.tif 000002
【特許請求の範囲】
【請求項１】
通気可能な中空部を形成するパネル体と、吸放湿性を有しかつ前記パネル体の中空部内に収容された吸放湿性材料とを備えていることを特徴とする建築用パネル。
【請求項２】
吸放湿性材料は、通気性を有する収容袋体内に装入した状態でパネル体内に収容されていることを特徴とする請求項１に記載の建築用パネル。
【請求項３】
パネル体の中空部を通気可能とする面を金属板で形成し、該金属板にはその表面側より裏面側に向けて孔抜き加工を施すことにより通気孔を形成するとともに裏面側へまくれる余肉部分により収容袋体を押え付ける押付凸部を形成したことを特徴とする請求項２に記載の建築用パネル。
【発明の詳細な説明】
【０００１】
【発明の属する技術分野】
本発明は、主として建築物の壁材、床材、天井材等の建築用パネル（ボードともいう）に関する。
【０００２】
【従来の技術】
従来、建築用パネルとしては、珪藻土を添加した石膏によって形成された石膏ボードがあった。この石膏ボードは、石膏中の珪藻土による吸放湿性を有するものである。
【０００３】
【発明が解決しようとする課題】
しかしながら、上記した従来の石膏ボードでは、珪藻土の吸放湿のための細孔の大半が石膏によって塞がれることによって、吸放湿性の低下を余儀なくされるという問題があった。
【０００４】
なお、木炭、竹炭、その他の吸放湿性材料を布、紙類に付着させた壁紙、クロス類はあった。しかし、吸放湿性材料を布、紙類に付着させる手段として、有機樹脂等の糊材が使用されているために、通気性が阻害されることにある。したがって、これまた、吸放湿性材料の効能を充分に発揮することができず、上記と同様の問題があった。
【０００５】
そこで、本発明の課題は、吸放湿性を向上することのできる建築用パネルを提供することにある。
【０００６】
【課題を解決するための手段】
前記課題は、特許請求の範囲に記載された構成を要旨とする建築用パネルにより解決することができる。
すなわち、特許請求の範囲の請求項１に記載された建築用パネルによると、例えば建築物の室内壁面に設置することにより、室内側の湿気が高いときはパネル体の中空部内の吸放湿性材料がその湿気を吸い取り、また、室内側の湿気が低いときは吸放湿性材料が湿気を室内側へ吐き出すため、室内の湿気をほぼ一定に保つことができる。しかして、パネル体の通気可能な中空部内に吸放湿性材料を収容したことによって、石膏に珪藻土を添加してなる従来の石膏ボードに比べて、吸放湿性材料の吸放湿性を効果的に活かすことにより、建築用パネルの吸放湿性を向上することができる。
【０００７】
また、特許請求の範囲の請求項２に記載された建築用パネルによると、吸放湿性材料が通気性を有する収容袋体内に装入した状態でパネル体の中空部内に収容されていることにより、例えばチップ状、粒状、粉状等の吸放湿性材料をパネル体の中空部内に容易に収容することができる。
【０００８】
また、特許請求の範囲の請求項３に記載された建築用パネルによると、金属板に孔抜き加工を施すことにより、通気孔を形成してパネル体の中空部を通気可能とすることができる。これと同時に、金属板の裏面側へまくれる余肉部分を押付凸部として収容袋体を押え付けることにより、専用の押付凸部を特別に設けることなく、収容袋体の型くずれを防止することができる。
【０００９】
【発明の実施の形態】
［実施の形態１］
本発明の実施の形態１を説明する。本実施の形態では、例えば、建築物の壁材として使用される建築用パネルを例示する。図２及び図３に示すように、建築用パネルは、パネル体１０と、吸放湿性材料３０を収容した収容袋体３２とを備えている。
【００１０】
パネル体１０を説明する。図３に示すように、パネル体１０は、パネル基板１２とパネル枠１４とパネル蓋板２０とを備えている（図１参照）。パネル体１０には、パネル基板１２とパネル枠１４とパネル蓋板２０とによって取り囲まれる中空部（符号省略）が形成されている。
【００１１】
前記パネル基板１２は、例えば合板、木板、石膏ボード、アルミ板等の板材によってほぼ四角形状に形成されている。図３に示すように、パネル基板１２の上下の各端縁部１２ａ，１２ｂと、その上下に隣合うパネル基板１２の当該端縁部１２ｂ，１２ａとは、相欠（あいがき）継手を構成している。
【００１２】
前記パネル枠１４は、例えば間伐材からなる木板等の板材によってほぼ四角形状に形成された枠材、すなわち左縦枠材１５、右縦枠材１６、上横枠材１７及び下横枠材１８によって矩形枠状に枠組みされている（図２参照）。上横枠材１７と下横枠材１８との間には、枠内の中空部を複数に仕切る適数本（図２では１本を示す）の中縦枠材１９が架設されている。パネル枠１４の各枠材１５，１６，１７，１８，１９は、パネル基板１２上に釘２６（図３参照）によって相互に固定されている。なお、各枠材１５，１６，１７，１８，１９の突き合わせ端部は、釘２７（図２参照）によって相互に固定されている。
【００１３】
前記パネル蓋板２０は、例えばアルミ板等の金属板によってほぼ四角形状に形成されている（図１参照）。パネル蓋板２０は、前記パネル枠１４の開口端面を塞ぐようにパネル枠１４上に釘２８によって固定されている（図３参照）。しかして、パネル蓋板２０には、その表面側（図３において左側）より裏面側（図３において右側）に向けて孔抜き加工を施すことにより、多数の通気孔２２が形成されているとともに、裏面側へまくれる余肉部分２３により収容袋体３２（後述する）を押え付ける押付凸部２３（余肉部分と同一符号を付す）が形成されている（図３参照）。なお、パネル体１０のパネル蓋板２０は、本明細書でいう「パネル体の中空部を通気可能とする面を形成する金属板」に相当する。
【００１４】
次に、吸放湿性材料３０を装入した収容袋体３２を説明する。収容袋体３２は、例えば不織布によって形成されている。収容袋体３２は、前記パネル体１０の中空部内にほぼ密に収容し得る大きさのほぼ四角形板状に形成されている。
収容袋体３２内には、例えばチップ状、粒状、粉状等からなる吸放湿性材料３０が装入すなわち充填されている。吸放湿性材料３０とは、室内の湿度が例えば６０％以上に高くなると吸湿し、室内の湿度が６０％より低くなると放湿して、湿度調節を自然に行う材料をいう。具体的には、吸放湿性材料３０は、竹炭、木炭、珪藻土、ゼオライト、珪酸（けいさん）カルシウムボード、アロフェン焼成板、木材（杉材、スプルス材、桐、ひのき等）等からなる。なお、珪藻土とは、藻類が海底や湖底に長年にわたって沈積し、体内の原形質が分解し、珪酸を主体にした遺殻からなる多孔質の堆積岩のことである。また、珪藻土のうちでも、吸放湿性材料としては、北海道産稚内層珪藻頁岩が適している。
【００１５】
前記吸放湿性材料３０を装入した収容袋体３２は、前記パネル体１０のパネル蓋板２０の取付けに先立って、パネル体１０の中縦枠材１９で仕切られた各中空部内に収容される。そして、収容袋体３２を収容した後で、パネル体１０にパネル蓋板２０が取付けられる。これとともに、収容袋体３２の当該面（図３において左側面）には、パネル蓋板２０の押付凸部２３が押し付けられる。
【００１６】
上記した建築用パネルは、例えば、建築物の部屋の既設の室内壁面の仕上用パネルとして使用される。すなわち、図３に示すように、既設の室内壁面４０に対し建築用パネルが取付けられる。建築用パネルは、パネル蓋板２０が新しい壁面を形成するように、パネル基板１２を下から上方に向かって相欠継手をもって積み上げるようにして、既設の室内壁面４０にパネル体１０のパネル基板１２の上下の端縁部１２ａ，１２ｂが例えば釘４２により固定される。しかして、建築用パネルの横幅は、例えば建築物の本柱と隣合う間柱との中心の相互間隔、あるいは、隣合う本柱の中心の相互間隔とほぼ等しい大きさとなっている。これにより、パネル基板１２を、本柱及び／又は間柱に釘４２によりしっかりと固定することができる。
また、パネル蓋板２０の表面（図３において左側面）には、通気性を有する壁布あるいは和紙、あるいは、木板をよろい板状に取付けた内装材４４が施工される。なお、内装材４４は省略することも可能である。
また、上記の建築用パネルは、前記したように、容易に施工することができるため、専門の職人に限らず、素人によっても施工することができる。
また、上記の建築用パネルは、上記の他、壁掛けパネルとしても適用することができ、周知の壁掛け施工方法によって容易に施工することができる。
【００１７】
上記した建築用パネルによると、例えば建築物の室内壁面４０に設置することにより、室内側の湿気が高いときはパネル体１０の中空部内の吸放湿性材料３０が内装材４４、パネル蓋板２０、収容袋体３２の通気性を利用してその湿気を吸い取り、また、室内側の湿気が低いときは前記吸放湿性材料３０が前記とは逆に湿気を室内側へ吐き出すため、室内の湿気をほぼ一定に保つことができる。したがって、上記した建築用パネルは、吸放湿用パネル、いわゆる調湿用パネルとして有効利用することができる。
【００１８】
しかして、前記パネル体１０の通気可能な中空部内に吸放湿性材料３０を収容したことによって、石膏に珪藻土を添加してなる従来の石膏ボードに比べて、吸放湿性材料３０の吸放湿性を効果的に活かすことができる。すなわち、吸放湿性材料３０の吸放湿性をほぼ１００％活かすことが可能になる。これにより、建築用パネルの吸放湿性を向上することができる。よって、住環境を改善することができる。また、このことは、建築用パネルの室内側の結露を防止することや、アレルギーの原因となるカビ、ダニの繁殖を抑えることができる。さらに、わらじ虫、白蟻等の防虫効果、消臭効果、滅菌効果も得られるので、健康的な住空間を作ることができる。また、吸放湿性材料３０により、断熱効果、防音効果も期待することができる。
【００１９】
また、吸放湿性材料３０の吸放湿性は、半永久的に持続するので、ランニングコストが掛からず、経済的である。
また、竹炭、木炭、珪藻土等の吸放湿性材料３０は、有害物質を含まない自然素材であるので、これまた、環境保全に好都合である。
また、吸放湿性材料３０が竹炭、木炭、活性炭等の炭材である場合には、消臭効果、マイナスイオン効果も得られるので、身体に安らぎを与え、リラクゼーション効果を奏することができる。
また、吸放湿性材料３０が珪藻頁岩である場合には、抗菌効果も得られる。
【００２０】
また、吸放湿性材料３０が通気性を有する収容袋体３２内に装入した状態でパネル体１０の中空部内に収容されていることにより、チップ状、粒状、粉状等の吸放湿性材料３０をパネル体１０の中空部内に容易に収容することができる。
【００２１】
また、金属板すなわちパネル蓋板２０に孔抜き加工を施すことにより、通気孔２２を形成してパネル体１０の中空部を通気可能とすることができる。これと同時に、パネル蓋板２０の裏面側へまくれる余肉部分を押付凸部２３として収容袋体３２を押え付けることにより、専用の押付凸部を特別に設けることなく、収容袋体３２の型くずれ、すなわち本実施の形態の場合では図３において下方への型くずれを防止することができる。
【００２２】
また、パネル体１０のパネル基板１２とパネル枠１４の各枠材１５，１６，１７，１８，１９とパネル蓋板２０を釘２６，２７，２８で固定されているため、容易に解体して分別廃棄することができ、また、接着剤などの有害物質を含まないので、環境保全に好都合である。また、パネル枠１４の各枠材１５，１６，１７，１８，１９に間伐材を利用することで、資源の有効利用を図ることができる。
【００２３】
また、パネル蓋板２０をアルミ板で形成すると、アルミ板によるマイナスイオン効果が得られるので、身体に安らぎを与え、リラクゼーション効果を奏することができる。
【００２４】
また、上記した建築用パネルは、吸放湿性材料３０を手を加えないで、原料そのものの吸放湿性材料３０を通気性のある収容袋体３２内に梱包量を変えて製品化することができる。このため、吸放湿性材料３０の効能をほぼ１００％発揮できるように構成することが可能であるとともに、吸放湿性材料３０の吸放湿性（調湿作用）のコントロールが可能である。
【００２５】
また、パネル基板１２の上下の各端縁部１２ａ，１２ｂと、その上下に隣合うパネル基板１２の当該端縁部１２ｂ，１２ａとにより、相欠（あいがき）継手を構成したが、これに代えて、パネル基板１２の左右の各端縁部と、その左右に隣合うパネル基板１２の当該端縁部とにより、相欠継手を構成してもよい。また、パネル枠１４の上下の横枠材１７，１８と、その上下に隣合う横枠材１８，１７とにより、相欠継手を構成することができる。また、パネル枠１４の左右の縦枠材１５，１６と、その左右に隣合う縦枠材１６，１５とにより、相欠継手を構成することができる。
【００２６】
［実施の形態２］
本発明の実施の形態２を説明する。本実施の形態では、例えば、実施の形態１と同様、建築物の壁材として使用される建築用パネルを例示する。図４〜図６に示すように、建築用パネルは、パネル体１１０と、吸放湿性材料１３０を収容した収容袋体１３２とを備えている。
【００２７】
パネル体１１０を説明する。図５及び図６に示すように、パネル体１１０は、パネル基板１１２とパネル枠１１４とパネル蓋板１２０とを備えている。パネル体１１０には、パネル基板１１２とパネル枠１１４とパネル蓋板１２０とによって取り囲まれる中空部（符号省略）が形成されている。
【００２８】
前記パネル基板１１２は、例えば合板、木板、石膏ボード、アルミ板等の板材によってほぼ四角形状に形成されている。
前記パネル枠１１４は、例えば間伐材からなる木板等の板材によってほぼ四角形状に形成された枠材、すなわち左縦枠材１１５、右縦枠材１１６、上横枠材１１７及び下横枠材１１８によって矩形枠状に枠組みされている（図４参照）。左縦枠材１１５、右縦枠材１１６との間には、枠内の中空部を複数に仕切る適数本（図５では３本を示す）の中横枠材１１９が架設されている。パネル枠１１４の各枠材１１５，１１６，１１７，１１８，１１９は、パネル基板１１２上に釘（図示省略）によって相互に固定されている。なお、各枠材１１５，１１６，１１７，１１８，１１９の突き合わせ端部は、釘（図示省略）によって相互に固定されている。
【００２９】
前記パネル蓋板１２０は、例えばアルミ板等の金属板によってほぼ四角形状に形成されている（図４参照）。パネル蓋板１２０は、前記パネル枠１１４の開口端面を塞ぐようにパネル枠１１４上に釘（図示省略）によって固定されている。しかして、パネル蓋板１２０には、前記実施の形態１と同様に、その表面側（図５において左側）より裏面側（図５において右側）に向けて孔抜き加工を施すことにより、多数の通気孔１２２（図４参照）が形成されているとともに、裏面側へまくれる余肉部分１２３（図５参照）により収容袋体１３２（後述する）を押え付ける押付凸部１２３（余肉部分と同一符号を付す）が形成されている（図５参照）。なお、パネル体１１０のパネル蓋板１２０は、本明細書でいう「パネル体の中空部を通気可能とする面を形成する金属板」に相当する。
【００３０】
また、図６に示すように、前記パネル枠１１４の各縦枠材１１５，１１６と、その左右に隣合う当該縦枠材１１６，１１５とは、相欠（あいがき）継手を構成している。
【００３１】
また、吸放湿性材料１３０を装入した収容袋体１３２については、実施の形態１における吸放湿性材料３０を装入した収容袋体３２（図２及び図３参照）と同様の構成であるから、その説明を省略する。吸放湿性材料１３０を装入した収容袋体１３２は、パネル体１１０のパネル蓋板１２０の取付けに先立って、パネル体１１０の中横枠材１１９で仕切られた各中空部内に収容される。その後で、パネル体１１０にパネル蓋板１２０が取付けられるとともに、収容袋体１３２の当該面（図５において左側面）には、パネル蓋板１２０の押付凸部１２３が押し付けられる。
【００３２】
上記した建築用パネルは、前記実施の形態１と同様に、例えば建築物の部屋の既設の室内壁面の仕上用パネルとして使用される。すなわち、図６に示すように、建築用パネルは、パネル蓋板１２０が新しい壁面を形成するように、かつ、左から右方に向かって左縦枠材１１５と右縦枠材１１６とが相欠継手をもって並べるようにして、既設の室内壁面１４０に例えば釘（図示省略）により固定される。しかして、建築用パネルの横幅は、例えば建築物の本柱と隣合う間柱との中心の相互間隔、あるいは、隣合う本柱の中心の相互間隔とほぼ等しい大きさ（例えば、９１０ｍｍあるいは４４５ｍｍ等）となっている。これにより、パネル基板１１２を、本柱及び／又は間柱にしっかりと固定することができる。ちなみに、建築用パネルの高さは、１８２０ｍｍあるいは２４００ｍｍ等）となっている。
【００３３】
また、パネル蓋板１２０の表面（図５において左側面）には、前記実施の形態１と同様に、通気性を有する内装材（図示省略）が施工される。なお、その内装材は省略することも、あるいは、建築用パネルのパネル蓋板２０の表面（図３において左側面）に予め取付けておくこともできる。
【００３４】
上記した実施の形態２の建築用パネルによっても、実施の形態１と同様の作用・効果が得られる。
【００３５】
また、パネル枠１１４の各縦枠材１１５，１１６と、その左右に隣合う当該縦枠材１１６，１１５とにより、相欠（あいがき）継手を構成したが、これに代えて、パネル枠１４の上下の横枠材１７，１８と、その上下に隣合う横枠材１８，１７とにより、相欠継手を構成することができる。
【００３６】
本発明は上記した実施の形態に限定されるものではなく、本発明の要旨を逸脱しない範囲における変更が可能である。例えば、本発明の建築用パネルは、壁材だけでなく、床材、天井材、その他のパネル材として利用することができる。また、本発明の建築用パネルは、建築以外の用途に流用しても差し支えない。また、パネル体１０，１１０のパネル基板１２，１１２は、合板、木板、石膏ボード、アルミ板等の板材の他、プラスチック、スチール、ステンレス等の板材等によっても形成することができる。また、建築用パネルの室内壁面４０，１４０側には、発泡樹脂、グラスウール等の断熱材を付設しても良い。また、パネル枠１４，１１４を構成する各枠材は、間伐材以外の木材、プラスチック材、あるいは、スチール、アルミニウム、ステンレス等の金属材等によっても形成することができる。また、パネル体１０，１１０のパネル蓋板２０，１２０は、アルミ板以外の金属製、あるいは樹脂製の板材、あるいは木製、布製でも良く、通気性をもった材料あるいは構造によって形成されておれば良く、その材料は限定されない。また、パネル蓋板２０，１２０の裏面側へまくれる余肉部分による押付凸部２３，１２３は、専用の押付凸部に代えても良い。また、押付凸部は、パネル体１０，１１０の中空部の内面に設けられておれば良く、その形成位置は限定されない。また、収容袋体３２，１３２は、不織布の他、合成樹脂製または金属製の網状体にて形成することができる。また、吸放湿性材料３０，１３０は、収容袋体３２，１３２に代えて、通気性を有する箱体内に装入した状態でパネル体１０，１１０の中空部内に収容してもよく、この場合も、例えばチップ状、粒状、粉状等の吸放湿性材料３０，１３０をパネル体１０，１１０の中空部内に容易に収容することができる。
【００３７】
【発明の効果】
上述したように、本発明によれば、吸放湿性材料の吸放湿性を効果的に活かすことにより、建築用パネルの吸放湿性を向上することができる。
【図面の簡単な説明】
【図１】本発明の実施の形態１にかかる建築用パネルを示す斜視図である。
【図２】同、建築用パネルを一部破断して示す正面図である。
【図３】同、建築用パネルを一部破断して示す断面図である。
【図４】本発明の実施の形態２にかかる建築用パネルを一部破断して示す正面図である。
【図５】図４のＶ−Ｖ線断面図である。
【図６】図４のＶＩ−ＶＩ線断面図である。
【符号の説明】
１０　パネル体
２０　パネル蓋板（金属板）
２２　通気孔
２３　押付凸部（余肉部分）
３０　吸放湿性材料
３２　収容袋体
１１０　パネル体
１２０　パネル蓋板（金属板）
１２２　通気孔
１２３　押付凸部（余肉部分）
１３０　吸放湿性材料
１３２　収容袋体
【図１】
2004060193.tif 000003
【図２】
2004060193.tif 000004
【図３】
2004060193.tif 000005
【図４】
2004060193.tif 000006
【図５】
2004060193.tif 000007
【図６】
2004060193.tif 000008